(57)【要約】  本発明はデータ伝送方法及び装置を開示する。該方法は、送信側がＮ個の基礎パラメータセットにおいて第一のデータを送信するための第一のビームの第一のターゲット基礎パラメータセットを確定し、該Ｎ個の基礎パラメータセット内の異なる基礎パラメータセットが異なる周波数領域基礎パラメータセット及び／又は異なる時間領域基礎パラメータセットを含み、Ｎが２以上の整数であることと、該送信側が時間領域リソース、空間領域リソース、及び周波数領域リソースで該第一のターゲット基礎パラメータセットに基づいて該第一のビームを送信することとを含む。本発明はネットワークにおけるデータ多様化のニーズに適応することができる。
2019525516.tif 000002
【特許請求の範囲】
【請求項１】
データ伝送方法であって、
送信側がＮ個の基礎パラメータセットにおいて第一のデータを送信するための第一のビームの第一のターゲット基礎パラメータセットを確定し、前記Ｎ個の基礎パラメータセット内の異なる基礎パラメータセットが異なる周波数領域基礎パラメータセット及び／又は異なる時間領域基礎パラメータセットを含み、Ｎが２以上の整数であることと、
前記送信側が時間領域リソース、空間領域リソース、及び周波数領域リソースで前記第一のターゲット基礎パラメータセットに基づいて前記第一のビームを送信することとを含む、前記データ伝送方法。
【請求項２】
前記異なる時間周波数領域基礎パラメータセットは、
異なるサブ搬送波間隔、異なる基礎周波数領域ユニット、異なる周波数領域ユニットパターン、及び異なるサブ搬送波パターンのうちの少なくとも１つを含むことを特徴とする
請求項１に記載の方法。
【請求項３】
異なる周波数領域基礎パラメータセットは、
異なるサブフレーム構造、異なる基礎時間領域ユニット、単位周期内の異なる伝送時間間隔ＴＴＩパターン、無線フレームにおける異なるサブフレームパターン、サブフレームにおける異なるタイムスロットパターン、タイムスロットにおける異なる直交周波数分割多重（ＯＦＤＭ）シンボルパターン、異なるサイクリックプレフィックス（ＣＰ）の長さと前記基礎時間領域ユニットでの基準シンボルに占有された異なる位置のうちの少なくとも１つを含むことを特徴とする
請求項１又は２に記載の方法。
【請求項４】
前記送信側がＮ個の基礎パラメータセットにおいて第一のデータを送信するための第一のビームの第一のターゲット基礎パラメータセットを確定することは、
前記送信側が前記第一のデータのデータタイプを確定することと、
前記送信側が前記第一のデータのデータタイプに応じて前記第一のターゲット基礎パラメータセットを確定することとを含むことを特徴とする
請求項１−３のいずれか一項に記載の方法。
【請求項５】
前記第一のデータのデータタイプがＭ個の基礎パラメータセットに対応し、前記Ｎ個の基礎パラメータセットが前記Ｍ個の基礎パラメータセットを含み、Ｍが２以上の整数であり、且つＭがＮより小さく、
ここで、前記送信側が前記データタイプに応じて前記第一のターゲット基礎パラメータセットを確定することは、
前記送信側が前記データタイプに応じてＭ個の基礎パラメータセットを確定することと、
前記Ｍ個の基礎パラメータセットにおいて前記第一のターゲット基礎パラメータセットを確定することとを含むことを特徴とする
請求項４に記載の方法。
【請求項６】
前記第一のデータのデータタイプが制御プレーンデータである場合、
前記送信側が時間領域リソース、空間領域リソース、及び周波数領域リソースで前記第一のターゲット基礎パラメータセットに基づいて前記第一のビームを送信する前に、前記データ伝送方法はさらに、
前記送信側がビームフォーミングアルゴリズムに基づいて第三のビームを処理して前記第一のビームを得ることを含むことを特徴とする
請求項１−５のいずれか一項に記載の方法。
【請求項７】
前記Ｎ個の基礎パラメータセットの異なる２つの基礎パラメータセットは異なる電力計算方式を含み、前記電力計算方式が開ループ電力計算方式と閉ループ電力計算方式を含むことを特徴とする
請求項１−６のいずれか一項に記載の方法。
【請求項８】
前記データ伝送方法はさらに、
前記送信側がＮ個の基礎パラメータセットにおいて第二のデータを送信するための第二のビームの第二のターゲット基礎パラメータセットを確定し、前記第二のデータのデータタイプが前記第一のデータのデータタイプと異なり、前記第二のターゲット基礎パラメータセットが前記第一のターゲット基礎パラメータセットと異なり、
前記送信側が時間領域リソース、空間領域リソース、及び周波数領域リソースで前記第二のターゲット基礎パラメータセットに基づいて前記第二のビームを送信することを含むことを特徴とする
請求項１−７のいずれか一項に記載の方法。
【請求項９】
前記第一のデータが前記第二のデータと同じであり、
前記送信側が時間領域リソース、空間領域リソース、及び周波数領域リソースで前記第一のターゲット基礎パラメータセットに基づいて前記第一のビームを送信する前に、前記方法はさらに、
前記送信側が受信側へビームリソース構成情報を送信し、前記ビームリソース構成情報が前記第一のデータを送信するための前記第一のビームに占有される第一のリソース位置、前記第二のデータを送信するための前記第二のビームに占有される第二のリソース位置を示すことに用いられ、前記受信側が前記ビームリソース構成情報に基づいて前記第一のデータと前記第二のデータを処理するようにすることを含むことを特徴とする
請求項８に記載の方法。
【請求項１０】
前記第一のデータが前記第二のデータと同じであり、
前記送信側が時間領域リソース、空間領域リソース、及び周波数領域リソースで前記第一のターゲット基礎パラメータセットに基づいて前記第一のビームを送信する前に、前記データ伝送方法はさらに、
前記送信側が時間間隔周期を取得することを含み、
ここで、前記送信側が時間領域リソース、空間領域リソース、及び周波数領域リソースで前記第一のターゲット基礎パラメータセットに基づいて前記第一のビームを送信することは、
前記送信側が前記時間間隔周期に基づき、第一の時点で、前記第一のターゲット基礎パラメータセットを使用して前記第一のビームを送信することを含み、
前記送信側が時間領域リソース、空間領域リソース、及び周波数領域リソースで前記第二のターゲット基礎パラメータセットに基づいて前記第二のビームを送信することは、
前記送信側が前記時間間隔周期に基づき、第二の時点で、前記第二のターゲット基礎パラメータセットを使用して前記第二のビームを送信することを含み、前記第一の時点と前記第二の時点が前記時間間隔周期に基づいて同じデータを送信する隣接時点であることを含むことを特徴とする
請求項８に記載の方法。
【請求項１１】
前記第一のデータが前記第二のデータと同じであり、
前記送信側が時間領域リソース、空間領域リソース、及び周波数領域リソースで前記第一のターゲット基礎パラメータセットに基づいて前記第一のビームを送信する前に、前記データ伝送方法はさらに、
前記送信側がリソース間隔を取得することを含み、
ここで、前記送信側が時間領域リソース、空間領域リソース、及び周波数領域リソースで前記第一のターゲット基礎パラメータセットに基づいて前記第一のビームを送信することは、
前記送信側が前記リソース間隔に基づき、第一の周波数領域リソースで、前記第一のターゲット基礎パラメータセットを使用して前記第一のビームを送信することを含み、
前記送信側が時間領域リソース、空間領域リソース、及び周波数領域リソースで前記第二のターゲット基礎パラメータセットに基づいて前記第二のビームを送信することは、
前記送信側が前記リソース間隔に基づき、第二の周波数領域で、前記第二のターゲット基礎パラメータセットを使用して前記第二のビームを送信することを含み、前記第一の周波数領域リソースと前記第二の周波数領域リソースが前記リソース間隔に基づいて同じデータを送信する隣接リソースであることを特徴とする
請求項８に記載の方法。
【請求項１２】
前記送信側がネットワーク装置であり、受信側が端末装置であり、
前記送信側がＮ個の基礎パラメータセットにおいて第一のデータを送信するための第一のビームの第一のターゲット基礎パラメータセットを確定する前に、前記データ伝送方法はさらに、
前記ネットワーク装置が前記端末装置へデータタイプと前記第一のターゲット基礎パラメータセットとの対応関係を示すための第一の指示情報を送信することを含むことを特徴とする
請求項１−１１のいずれか一項に記載の方法。
【請求項１３】
前記送信側が端末装置であり、受信側がネットワーク装置であり、
前記送信側がＮ個の基礎パラメータセットにおいて第一のデータを送信するための第一のビームの第一のターゲット基礎パラメータセットを確定する前に、前記データ伝送方法はさらに、
前記端末装置が前記ネットワーク装置から送信された、データタイプと前記第一のターゲット基礎パラメータセットとの対応関係を示すための第二の指示情報を受信することを含み、
ここで、送信側がＮ個の基礎パラメータセットにおいて第一のデータを送信するための第一のビームの第一のターゲット基礎パラメータセットを確定することは、
前記端末装置が前記第二の指示情報に基づいてＮ個の基礎パラメータセットにおいて前記第一のターゲット基礎パラメータセットを確定することを含むことを特徴とする
請求項１−１１のいずれか一項に記載の方法。
【請求項１４】
前記送信側がネットワーク装置であり、受信側が端末装置であり、
前記送信側が時間領域リソース、空間領域リソース、及び周波数領域リソースで前記第一のターゲット基礎パラメータセットに基づいて前記第一のビームを送信する前に、前記データ伝送方法はさらに、
前記ネットワーク装置が前記端末装置へ前記第一のビームが位置するリソース位置を示すためのリソース位置指示情報を送信することと、
前記端末装置が前記ネットワーク装置から送信された前記リソース位置指示情報を受信することとを含み、
前記送信側が時間領域リソース、空間領域リソース、及び周波数領域リソースで前記第一のターゲット基礎パラメータセットに基づいて前記第一のビームを送信した後、前記データ伝送方法はさらに、
前記端末装置が前記リソース位置指示情報に基づいて前記第一のビームを受信することを含むことを特徴とする
請求項１−１２のいずれか一項に記載の方法。
【請求項１５】
データ伝送装置であって、
Ｎ個の基礎パラメータセットにおいて第一のデータを送信するための第一のビームの第一のターゲット基礎パラメータセットを確定するように構成され、前記Ｎ個の基礎パラメータセット内の異なる基礎パラメータセットが異なる周波数領域基礎パラメータセット及び／又は異なる時間領域基礎パラメータセットを含み、Ｎが２以上の整数である確定モジュールと、
時間領域リソース、空間領域リソース、及び周波数領域リソースで前記第一のターゲット基礎パラメータセットに基づいて前記第一のビームを送信するように構成される送信モジュールとを備える、前記データ伝送装置。
【請求項１６】
前記異なる時間周波数基礎パラメータセットは、
異なるサブ搬送波間隔、異なる基礎周波数領域ユニット、異なる周波数領域ユニットパターン、及び異なるサブ搬送波パターンのうちの少なくとも１つを含むことを特徴とする
請求項１５に記載の装置。
【請求項１７】
異なる周波数領域基礎パラメータセットは、
異なるサブフレーム構造、異なる基礎時間領域ユニット、単位周期内の異なる伝送時間間隔ＴＴＩパターン、無線フレームにおける異なるサブフレームパターン、サブフレームにおける異なるタイムスロットパターン、タイムスロットにおける異なる直交周波数分割多重（ＯＦＤＭ）シンボルパターン、異なるサイクリックプレフィックス（ＣＰ）の長さと前記基礎時間領域ユニットでの基準シンボルに占有された異なる位置のうちの少なくとも１つを含むことを特徴とする
請求項１５又は１６に記載の装置。
【請求項１８】
前記確定モジュールは具体的に、
前記第一のデータのデータタイプを確定し、
前記第一のデータのデータタイプに応じて前記第一のターゲット基礎パラメータセットを確定するように構成されることを特徴とする
請求項１５−１７のいずれか一項に記載の装置。
【請求項１９】
前記第一のデータのデータタイプがＭ個の基礎パラメータセットに対応し、前記Ｎ個の基礎パラメータセットが前記Ｍ個の基礎パラメータセットを含み、Ｍが２以上の整数であり、且つＭがＮより小さく、
前記確定モジュールは具体的に、
前記データタイプに応じてＭ個の基礎パラメータセットを確定し、
前記Ｍ個の基礎パラメータセットにおいて前記第一のターゲット基礎パラメータセットを確定するように構成されることを特徴とする
請求項１８に記載の装置。
【請求項２０】
前記第一のデータのデータタイプが制御プレーンデータである場合、
前記確定モジュールはさらに、時間領域リソース、空間領域リソース、及び周波数領域リソースで前記第一のターゲット基礎パラメータセットに基づいて前記第一のビームを送信する前に、ビームフォーミングアルゴリズムに基づいて第三のビームを処理して前記第一のビームを得るように構成されることを特徴とする
請求項１５−１９のいずれか一項に記載の装置。
【請求項２１】
前記Ｎ個の基礎パラメータセットの異なる２つの基礎パラメータセットは異なる電力計算方式を含み、前記電力計算方式が開ループ電力計算方式と閉ループ電力計算方式を含むことを特徴とする
請求項１５−２０のいずれか一項に記載の装置。
【請求項２２】
前記確定モジュールはさらに、
Ｎ個の基礎パラメータセットにおいて第二のデータを送信するための第二のビームの第二のターゲット基礎パラメータセットを確定するように構成され、前記第二のデータのデータタイプが前記第一のデータのデータタイプと異なり、前記第二のターゲット基礎パラメータセットが前記第一のターゲット基礎パラメータセットと異なり、
前記送信モジュールはさらに、時間領域リソース、空間領域リソース、及び周波数領域リソースで前記第二のターゲット基礎パラメータセットに基づいて前記第二のビームを送信するように構成されることを特徴とする
請求項１５−２１のいずれか一項に記載の装置。
【請求項２３】
前記第一のデータが前記第二のデータと同じであり、
前記送信モジュールはさらに、時間領域リソース、空間領域リソース、及び周波数領域リソースで前記第一のターゲット基礎パラメータセットに基づいて前記第一のビームを送信する前に、受信側へビームリソース構成情報を送信し、前記ビームリソース構成情報が前記第一のデータを送信するための前記第一のビームに占有される第一のリソース位置、前記第二のデータを送信するための前記第二のビームに占有される第二のリソース位置を示すことに用いられ、前記受信側が前記ビームリソース構成情報に基づいて前記第一のデータと前記第二のデータを処理するようにするように構成されることを特徴とする
請求項２２に記載の装置。
【請求項２４】
前記第一のデータが前記第二のデータと同じであり、
前記装置は、時間領域リソース、空間領域リソース、及び周波数領域リソースで前記第一のターゲット基礎パラメータセットに基づいて前記第一のビームを送信する前に、時間間隔周期を取得するように構成される第一の取得モジュールをさらに備え、
前記送信モジュールはさらに時間間隔周期に基づき、第一の時点で、前記第一のターゲット基礎パラメータセットを使用して前記第一のビームを送信するように構成され、
前記送信モジュールはさらに、前記時間間隔周期に基づき、第二の時点で、前記第二のターゲット基礎パラメータセットを使用して前記第二のビームを送信するように構成され、前記第一の時点と前記第二の時点が前記時間間隔周期に基づいて同じデータを送信する隣接時点であることを特徴とする
請求項２２に記載の装置。
【請求項２５】
前記第一のデータが前記第二のデータと同じであり、
前記装置はさらに、時間領域リソース、空間領域リソース、及び周波数領域リソースで前記第一のターゲット基礎パラメータセットに基づいて前記第一のビームを送信する前に、リソース間隔を取得するように構成される第二の取得モジュールを備え、
前記送信モジュールはさらに、前記リソース間隔に基づき、第一の周波数領域リソースで、前記第一のターゲット基礎パラメータセットを使用して前記第一のビームを送信するように構成され、
前記送信モジュールはさらに、前記リソース間隔に基づき、第二の周波数領域で、前記第二のターゲット基礎パラメータセットを使用して前記第二のビームを送信するように構成され、前記第一の周波数領域リソースと前記第二の周波数領域リソースが前記リソース間隔に基づいて同じデータを送信する隣接リソースであることを特徴とする
請求項２２に記載の装置。
【請求項２６】
前記データ伝送装置がネットワーク装置であり、受信側が端末装置であり、
前記送信モジュールはさらにＮ個の基礎パラメータセットにおいて第一のデータを送信するための第一のビームの第一のターゲット基礎パラメータセットを確定する前に、前記端末装置へデータタイプと前記第一のターゲット基礎パラメータセットとの対応関係を示すための第一の指示情報を送信するように構成されることを特徴とする
請求項１５−２５のいずれか一項に記載の装置。
【請求項２７】
前記データ伝送装置が端末装置であり、受信側がネットワーク装置であり、
前記データ伝送装置はさらに、Ｎ個の基礎パラメータセットにおいて第一のデータを送信するための第一のビームの第一のターゲット基礎パラメータセットを確定する前に、前記ネットワーク装置から送信された、データタイプと前記第一のターゲット基礎パラメータセットとの対応関係を示すための第二の指示情報を受信するように構成される受信モジュールを備え、
前記確定モジュールはさらに、前記第二の指示情報に基づいてＮ個の基礎パラメータセットにおいて前記第一のターゲット基礎パラメータセットを確定するように構成されることを特徴とする
請求項１５−２５のいずれか一項に記載の装置。
【請求項２８】
前記データ伝送装置がネットワーク装置であり、受信側が端末装置であり、
前記送信モジュールはさらに、時間領域リソース、空間領域リソース、及び周波数領域リソースで前記第一のターゲット基礎パラメータセットに基づいて前記第一のビームを送信する前に、前記端末装置へ前記第一のビームが位置するリソース位置を示すためのリソース位置指示情報を送信するように構成されることを特徴とする
請求項１５−２６のいずれか一項に記載の装置。
【発明の詳細な説明】
【技術分野】
【０００１】
本発明は通信分野に関し、且つより具体的には、通信分野におけるデータ伝送方法及び装置に関する。
【背景技術】
【０００２】
ネットワークの発展に伴い、サービスニーズが増加し続けており、サービスニーズの種類も増加し、従来のネットワーク標準通信プロトコルにおいてネットワーク装置と端末装置が、統一された基礎パラメータセットを有するビームを使用してデータを伝送し、例えば、通信プロトコルにおいて長期進化型（Ｌｏｎｇ  Ｔｅｒｍ  Ｅｖｏｌｕｔｉｏｎ：「ＬＴＥ」と略称）システムにおける基礎パラメータ（ｎｕｍｅｒｏｌｏｇｙ）は、１つの無線フレームが１０ｍｓであり、１つの無線フレームに１０つのサブフレームが含まれ、１つのサブフレームに２つのタイムスロットが含まれ、１つのタイムスロットに７つのシンボルが含まれ、周波数における連続した１２個のサブ搬送波、時間領域における１つのタイムスロットが１つのリソースブロック（Ｒｅｓｏｕｒｃｅ  Ｂｌｏｃｋ：「ＲＢ」と略称）を構成し、各サブ搬送波間隔が１５ｋであり、周波数領域における１つのサブ搬送波、時間領域における１つのシンボルが１つのリソース要素（Ｒｅｓｏｕｒｃｅ  Ｅｌｅｍｅｎｔ：「ＲＥ」と略称）などと呼ばれるように規定され、サービスの多様性が現れるにつれ、１つの特有な基礎パラメータセットのビームを使用してデータを伝送する場合、異なるタイプのデータの伝送が制限される。
【発明の概要】
【発明が解決しようとする課題】
【０００３】
本発明の実施例は、ネットワークにおけるデータ多様化ニーズに適応することができるデータ伝送方法及び装置を提供する。
【課題を解決するための手段】
【０００４】
第一の態様によるデータ伝送方法は、送信側がＮ個の基礎パラメータセットにおいて第一のデータを送信するための第一のビームの第一のターゲット基礎パラメータセットを確定し、該Ｎ個の基礎パラメータセット内の異なる基礎パラメータセットが異なる周波数領域基礎パラメータセット及び／又は異なる時間領域基礎パラメータセットを含み、Ｎが２以上の整数であることと、該送信側が時間領域リソース、空間領域リソース、及び周波数領域リソースで該第一のターゲット基礎パラメータセットに基づいて該第一のビームを送信することとを含む。
【０００５】
これにより、Ｎ個の基礎パラメータセット内の異なる基礎パラメータセットが異なる周波数領域基礎パラメータセット及び／又は異なる周波数領域基礎パラメータセットを含み、第一のデータに基づいてＮ個の基礎パラメータセットにおいて第一のビームを送信するためのターゲットパラメータセットを確定し、複数の異なる基礎パラメータセットによって、多種の異なるサービスのデータに適用することができ、Ｎ個の基礎パラメータセットによって、ネットワークにおけるデータ多様化ニーズに適応することができる。
【０００６】
第一の態様の第一の可能な実施形態では、該異なる時間周波数基礎パラメータセットは、異なるサブ搬送波間隔、異なる基礎周波数領域ユニット、異なる周波数領域ユニットパターン、異なるサブ搬送波パターンのうちの少なくとも１つを含み、異なる基礎周波数領域ユニットが異なる接続サブ搬送波の数を含み、異なる周波数領域ユニットパターンが特定帯域幅での複数の基礎周波数領域ユニットに占有された異なる位置であり、異なるサブ搬送波パターンが特定帯域幅での連続サブ搬送波の異なる位置などである。
【０００７】
第一の態様の上記の可能な実施形態と組み合わせ、第一の態様の第二の可能な実施形態では、異なる周波数領域基礎パラメータセットは、異なるサブフレーム構造、異なる基礎時間領域ユニット、単位周期内の異なる伝送時間間隔ＴＴＩパターン、無線フレームにおける異なるサブフレームパターン、サブフレームにおける異なるタイムスロットパターン、タイムスロットにおける異なる直交周波数分割多重（ＯＦＤＭ）シンボルパターン、異なるサイクリックプレフィックス（ＣＰ）の長さ、該時間領域ユニットでの基準シンボルに占有された異なる位置のうちの少なくとも１つを含み、異なる基礎時間領域ユニットが異なる数の連続サブフレームを含み、単位周期内の異なるＴＴＩパターンが特定の時間内のＴＴＩに占有された異なる位置であり、異なるサブフレームパターンが特定の時間内の該連続サブフレームに占有された異なる位置であり、異なるタイムスロットパターンが特定時間内のタイムスロットに占有された異なる位置であり、異なるＯＦＤＭシンボルパターンが特定の時間内のＯＦＤＭシンボルに占有された異なる位置である。
【０００８】
第一の態様の上記の可能な実施形態と組み合わせ、第一の態様の第三の可能な実施形態では、該送信側がＮ個の基礎パラメータセットにおいて第一のデータを送信するための第一のビームの第一のターゲット基礎パラメータセットを確定することは、該送信側が該第一のデータのデータタイプを確定することと、該送信側が該第一のデータのデータタイプに応じて該第一のターゲット基礎パラメータセットを確定することとを含む。
【０００９】
さらに、異なるデータタイプに応じて異なる基礎パラメータセットを確定することができ、即ち１つのデータタイプが１つの基礎パラメータセットに対応してもよく、例えば、制御プレーンデータが１つの基礎パラメータセットに対応し、ユーザプレーンデータが別の基礎パラメータセットに対応する。
【００１０】
第一の態様の上記の可能な実施形態と組み合わせ、第一の態様の第四の可能な実施形態では、該第一のデータのデータタイプがＭ個の基礎パラメータセットに対応し、該Ｎ個の基礎パラメータセットが該Ｍ個の基礎パラメータセットを含み、Ｍが２以上の整数であり、且つＭがＮより小さく、ここで、該送信側が該データタイプに応じて該第一のターゲット基礎パラメータセットを確定することは、該送信側が該データタイプに応じてＭ個の基礎パラメータセットを確定することと、該Ｍ個の基礎パラメータセットを該第一のターゲット基礎パラメータセットとして確定することとを含む。
【００１１】
具体的には、第一のデータタイプは複数の基礎パラメータセットに対応することができ、例えば、制御プレーンデータは、複数の基礎パラメータセットに対応することができ、ユーザプレーンデータは、複数の基礎パラメータセットに対応することができ、これにより同一のチャネルで複数の異なる基礎パラメータセットに対応することができ、選択可能に、ネットワーク装置は、１つのチャネルにおける複数のビームに対応する複数の異なる基礎パラメータセットのリソース位置指示情報を端末装置に送信することができ、端末装置が正確なリソース位置でビームを受信することができるように、端末装置は該リソース位置指示情報に基づいてリソース位置とビームとの対応関係を確定することができる。
【００１２】
第一の態様の上記の可能な実施形態と組み合わせ、第一の態様の第五の可能な実施形態では、該第一のデータのデータタイプが制御プレーンデータである場合、該送信側が時間領域リソース、空間領域リソース、及び周波数領域リソースで該第一のターゲット基礎パラメータセットに基づいて該第一のビームを送信する前に、該方法はさらに、該送信側がビームフォーミングアルゴリズムに基づいて第三のビームを処理して該第一のビームを得ることを含む。
【００１３】
第一の態様の上記の可能な実施形態と組み合わせ、第一の態様の第六の可能な実施形態では、該Ｎ個の基礎パラメータセットのいずれかの２つの基礎パラメータセットは異なる電力計算方式を含み、該電力計算方式が開ループ電力計算方式と閉ループ電力計算方式を含む。
【００１４】
第一の態様の上記の可能な実施形態と組み合わせ、第一の態様の第七の可能な実施形態では、該方法はさらに、該送信側がＮ個の基礎パラメータセットにおいて第二のデータを送信するための第二のビームの第二のターゲット基礎パラメータセットを確定し、該第二のデータのデータタイプが該第一のデータのデータタイプと異なり、該第二のターゲット基礎パラメータセットが該第一のターゲット基礎パラメータセットと異なり、該送信側が時間領域リソース、空間領域リソース、及び周波数領域リソースで該第二のターゲット基礎パラメータセットに基づいて該第二のビームを送信することを含む。
【００１５】
第一の態様の上記の可能な実施形態と組み合わせ、第一の態様の第八の可能な実施形態では、該第一のデータが該第二のデータと同じであり、該送信側が時間領域リソース、空間領域リソース、及び周波数領域リソースで該第一のターゲット基礎パラメータセットに基づいて該第一のビームを送信する前に、該方法はさらに、該送信側が該受信側へビームリソース構成情報を送信し、該ビームリソース構成情報が該第一のデータを送信するための該第一のビームに占有される第一のリソース位置、該第二のデータを送信するための該第二のビームに占有される第二のリソース位置を示すことに用いられ、受信側が該ビームリソース構成情報に基づいて該第一のデータと該第二のデータを処理するようにすることを含む。
【００１６】
第一の態様の上記の可能な実施形態と組み合わせ、第一の態様の第九の可能な実施形態では、該第一のデータが該第二のデータと同じであり、該送信側が時間領域リソース、空間領域リソース、及び周波数領域リソースで該第一のターゲット基礎パラメータセットに基づいて該第一のビームを送信する前に、該方法はさらに、該送信側がリソース間隔を取得することを含み、ここで、該送信側が時間領域リソース、空間領域リソース、及び周波数領域リソースで該第一のターゲット基礎パラメータセットに基づいて該第一のビームを送信することは、該送信側が該リソース間隔に基づき、第一の周波数領域リソースで、該第一のターゲット基礎パラメータセットを使用して該第一のビームを送信することを含み、該送信側が時間領域リソース、空間領域リソース、及び周波数領域リソースで該第二のターゲット基礎パラメータセットに基づいて該第二のビームを送信することは、該送信側が該リソース間隔に基づき、第二の周波数領域で、該第二のターゲット基礎パラメータセットを使用して該第二のビームを送信することを含み、該第一の周波数領域リソースと該第二の周波数領域リソースが該リソース間隔に基づいて同じデータを送信する隣接リソースである。
【００１７】
第一の態様の上記の可能な実施形態と組み合わせ、第一の態様の第十の可能な実施形態では、該第一のデータが該第二のデータと同じであり、該送信側が時間領域リソース、空間領域リソース、及び周波数領域リソースで該第一のターゲット基礎パラメータセットに基づいて該第一のビームを送信する前に、該方法はさらに、該送信側が時間間隔周期を取得することを含み、ここで、該送信側が時間領域リソース、空間領域リソース、及び周波数領域リソースで該第一のターゲット基礎パラメータセットに基づいて該第一のビームを送信することは、該送信側が該時間間隔周期に基づき、第一の時点で、該第一のターゲット基礎パラメータセットを使用して該第一のビームを送信することを含み、該送信側が時間領域リソース、空間領域リソース、及び周波数領域リソースで該第二のターゲット基礎パラメータセットに基づいて該第二のビームを送信することは、該送信側が該時間間隔周期に基づき、第二の時点で、該第二のターゲット基礎パラメータセットを使用して該第二のビームを送信することを含み、該第一の時点と該第二の時点が該時間間隔周期に基づいて同じデータを送信する隣接時点である。
【００１８】
第一の態様の上記の可能な実施形態と組み合わせ、第一の態様の第十一の可能な実施形態では、該送信側がネットワーク装置であり、該受信側が端末装置であり、該送信側がＮ個の基礎パラメータセットにおいて第一のデータを送信するための第一のビームの第一のターゲット基礎パラメータセットを確定する前に、該方法はさらに、該ネットワーク装置が該端末装置へデータタイプと該第一のターゲット基礎パラメータセットとの対応関係を示すための第一の指示情報を送信することを含む。
【００１９】
第一の態様の上記の可能な実施形態と組み合わせ、第一の態様の第十二の可能な実施形態では、該送信側が端末装置であり、該受信側がネットワーク装置であり、該送信側がＮ個の基礎パラメータセットにおいて第一のデータを送信するための第一のビームの第一のターゲット基礎パラメータセットを確定する前に、該方法はさらに、該端末装置が該ネットワーク装置から送信された、データタイプと該第一のターゲット基礎パラメータセットとの対応関係を示すための第二の指示情報を受信することを含み、ここで、送信側がＮ個の基礎パラメータセットにおいて第一のデータを送信するための第一のビームの第一のターゲット基礎パラメータセットを確定することは、該端末装置が該第二の指示情報に基づいてＮ個の基礎パラメータセットにおいて該第一のターゲット基礎パラメータセットを確定することを含む。
【００２０】
第一の態様の上記の可能な実施形態と組み合わせ、第一の態様の第十三の可能な実施形態では、該送信側がネットワーク装置であり、該受信側が端末装置であり、該送信側が時間領域リソース、空間領域リソース、及び周波数領域リソースで該第一のターゲット基礎パラメータセットに基づいて該第一のビームを送信する前に、該方法はさらに、該ネットワーク装置が該端末装置へ該第一のビームが位置するリソース位置を示すためのリソース位置指示情報を送信することと、該端末装置が該ネットワーク装置から送信された該リソース位置指示情報を受信することとを含み、該送信側が時間領域リソース、空間領域リソース、及び周波数領域リソースで該第一のターゲット基礎パラメータセットに基づいて該第一のビームを送信した後、該方法はさらに、該端末装置が該リソース位置指示情報に基づいて該第一のビームを受信することを含む。
【００２１】
第二の態様によるデータ伝送装置は上記第一の態様及び各実施形態におけるデータ伝送方法の送信側によって実行される各プロセスを実行することに用いられてもよく、Ｎ個の基礎パラメータセットにおいて第一のデータを送信するための第一のビームの第一のターゲット基礎パラメータセットを確定するように構成され、該Ｎ個の基礎パラメータセット内の異なる基礎パラメータセットが異なる周波数領域基礎パラメータセット及び／又は異なる時間領域基礎パラメータセットを含み、Ｎが２以上の整数である確定モジュールと、時間領域リソース、空間領域リソース、及び周波数領域リソースで該第一のターゲット基礎パラメータセットに基づいて該第一のビームを送信するように構成される送信モジュールとを備える。
【００２２】
第三の態様によるネットワーク装置は、第二の態様に記載されるデータ伝送装置を備える。
【００２３】
第四の態様による端末装置は、第二の態様に記載されるデータ伝送装置を備える。
【００２４】
第五の態様によるデータ伝送装置は、受信機、送信機、メモリ、プロセッサとバスシステムを備える。ここで、該受信機、該送信機、該メモリと該プロセッサは該バスシステムを介して接続され、該メモリは命令を記憶することに用いられ、該プロセッサは該メモリに記憶された命令を実行し、信号を受信するように受信機を制御し、且つ信号を送信するように送信機を制御することに用いられ、且つ該プロセッサが該メモリに記憶された命令を実行すると、該実行により該プロセッサが第一の態様又は第一の態様のいずれかの可能な実施形態における方法を実行する。
【００２５】
第六の態様によるシステムチップは、入力インタフェース、出力インタフェース、少なくとも１つのプロセッサ、メモリを備え、該プロセッサが該メモリでのコードを実行することに用いられ、該コードが実行されると、該プロセッサが第一の態様及び各実施形態におけるデータ伝送方法のプロセスを実現することができる。
【００２６】
第七の態様によるコンピュータ可読記憶媒体は、第一の態様又は第一の態様のいずれかの可能な実施形態における方法を実行するための命令を含むコンピュータプログラムを記憶することに用いられる。
【図面の簡単な説明】
【００２７】
【図１】本発明の実施例による１つの応用シーンを示す図である。
【図２】本発明の実施例によるデータ伝送方法を示す図である。
【図３】本発明の実施例によるデータ伝送装置の概略ブロック図である。
【図４】本発明の実施例によるデータ伝送装置の概略ブロック図である。
【図５】本発明の実施例によるデータを伝送するためのシステムチップの概略構造図である。
【発明を実施するための形態】
【００２８】
本出願の実施例の技術的解決策をより明確に説明するために、以下に本出願の実施例に必要な図面を簡単に説明し、明らかに、以下に記載される図面が本出願のいくつかの実施例だけであり、当業者であれば、創造的な労力を要することなく、これらの図面に基づいて他の図面を得ることができる。
【００２９】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００３０】
理解すべきものとして、本発明の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）などの現在の通信システム、及び特に将来の５Ｇシステムに応用されてもよい。
【００３１】
本発明の実施例における端末装置はユーザ機器（Ｕｓｅｒ  Ｅｑｕｉｐｍｅｎｔ：「ＵＥ」と略称）、アクセス端末、加入者ユニット、加入者局、移動局、移動サイト、遠隔局、遠隔端末、モバイル装置、ユーザ端末、端末、無線通信装置、ユーザエージェント又はユーザ装置であってもよい。アクセス端末は、セルラ電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、ワイヤレスローカルループ（Ｗｉｒｅｌｅｓｓ  Ｌｏｃａｌ  Ｌｏｏｐ：「ＷＬＬ」と略称）局、パーソナルデジタルアシスタント（Ｐｅｒｓｏｎａｌ  Ｄｉｇｉｔａｌ  Ａｓｓｉｓｔａｎｔ：「ＰＤＡ」と略称）、無線通信機能を有しているハンドヘルドデバイス、コンピューティングデバイス又は無線モデムに接続された他の処理デバイス、車載デバイス、ウェアラブルデバイス及び将来の５Ｇネットワークにおける端末装置又は将来の進化した公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）における端末装置などであってもよい。
【００３２】
本発明の実施例におけるネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎ  ｏｄｅＢ：「ｅＮＢ又はｅＮｏｄｅＢ」と略称）であってもよいし、クラウド無線アクセスネットワーク（Ｃｌｏｕｄ  Ｒａｄｉｏ  Ａｃｃｅｓｓ  Ｎｅｔｗｏｒｋ：「ＣＲＡＮ」と略称）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。
【００３３】
図１は本発明の実施例による１つの応用シーンを示す図である。図１における通信システム１００はネットワーク装置１１０と端末装置１２０を備えることができる。ネットワーク装置１１０は端末装置１２０に通信サービスを提供してコアネットワークにアクセスすることに用いられ、端末装置１２０はネットワーク装置１１０から送信された同期信号、ブロードキャスト信号などを検索してネットワークにアクセスし、それによってネットワークと通信を行う。図１に示す矢印は端末装置１２０とネットワーク装置１１０の間のセルラリンクによるアップリンク／ダウンリンク伝送を表すことができる。本発明の実施例では、ネットワーク装置１１０は送信側であってもよいし、受信側であってもよく、端末装置は送信側であってもよいし、受信側であってもよく、本発明の実施例は異なる基礎パラメータセットに対応するリソースマッピング方式により、ネットワークにおけるデータ多様化ニーズに適応することができる。
【００３４】
図２は本発明の実施例によるデータ伝送方法を示す図である。図２に示すように、該データ伝送方法２００の具体的なプロセスは、Ｓ２１０〜Ｓ２２０を含む。
【００３５】
Ｓ２１０において、送信側がＮ個の基礎パラメータセットにおいて第一のデータを送信するための第一のビームの第一のターゲット基礎パラメータセットを確定し、該Ｎ個の基礎パラメータセット内の異なる基礎パラメータセットが異なる周波数領域基礎パラメータセット及び／又は異なる時間領域基礎パラメータセットを含み、Ｎが２以上の整数である。
【００３６】
Ｓ２２０において、該送信側が時間領域リソース、空間領域リソース、及び周波数領域リソースで該第一のターゲット基礎パラメータセットに基づいて該第一のビームを送信する。
【００３７】
１つの選択可能な実施例として、異なる周波数領域基礎パラメータセットは、異なるサブ搬送波間隔、異なる基礎周波数領域ユニット、異なる周波数領域ユニットパターン、異なるサブ搬送波パターンのうちの少なくとも１つを含み、異なる基礎周波数領域ユニットが異なる接続サブ搬送波の数を含み、異なる周波数領域ユニットパターンが特定帯域幅での複数の基礎周波数領域ユニットに占有された異なる位置であり、異なるサブ搬送波パターンが特定帯域幅での連続サブ搬送波の異なる位置などである。
【００３８】
１つの選択可能な実施例として、異なる時間領域基礎パラメータセットは、異なるサブフレーム構造、異なる基礎時間領域ユニット、単位周期内の異なる伝送時間間隔ＴＴＩパターン、無線フレームにおける異なるサブフレームパターン、サブフレームにおける異なるタイムスロットパターン、タイムスロットにおける異なる直交周波数分割多重（ＯＦＤＭ）シンボルパターン、異なるサイクリックプレフィックス（ＣＰ）の長さ、該時間領域ユニットでの基準シンボルに占有された異なる位置のうちの少なくとも１つを含み、異なる基礎時間領域ユニットが異なる数の連続サブフレームを含み、単位周期内の異なるＴＴＩパターンが特定の時間内のＴＴＩに占有された異なる位置であり、異なるサブフレームパターンが特定の時間内の該連続サブフレームに占有された異なる位置であり、異なるタイムスロットパターンが特定時間内のタイムスロットに占有された異なる位置であり、異なるＯＦＤＭシンボルパターンが特定の時間内のＯＦＤＭシンボルに占有された異なる位置である。
【００３９】
さらに、従来技術では１つの送信側と１つの受信側に対して、データを送信するためのビームが１つの基礎パラメータセットのみに対応し、即ち従来技術における時間領域基礎パラメータセットと周波数領域基礎パラメータセットは、１つの無線フレームが１０ｍｓであり、１つの無線フレームに１０つのサブフレームが含まれ、１つのサブフレームに２つのタイムスロットが含まれ、１つのタイムスロットに７つのシンボルが含まれ、周波数における連続した１２個のサブ搬送波、時間領域における１つのタイムスロットが１つのＲＢを構成し、各サブ搬送波間隔が１５ｋであり、周波数領域における１つのサブ搬送波、時間領域における１つのシンボルが１つのＲＥと呼ばれるように固定して定められている。
【００４０】
本発明の実施例では、一つの送信側と一つの受信側に対して基礎パラメータセットが複数であってもよく、即ち複数の基礎パラメータセット内の第一の基礎パラメータセットと第二の基礎パラメータセットは同じ時間領域基礎パラメータセット、異なる周波数領域基礎パラメータセットを有してもよく、又は第一の基礎パラメータセットと第二の基礎パラメータセットが同じ周波数領域基礎パラメータセット、異なる時間領域基礎パラメータセットを有し、又は第一の基礎パラメータセットと第二の基礎パラメータの周波数領域基礎パラメータセットが異なり、時間領域基礎パラメータセットも異なり、又は第一の基礎パラメータセットと第二の基礎パラメータセットの時間領域基礎パラメータセットが異なり、周波数領域基礎パラメータセットが同じであり、空間領域基礎パラメータセットが同じであることなどがあり、本発明の実施例はこれに限定されない。
【００４１】
容易に理解するために、例えば、第一の基礎パラメータセットの無線フレーム毎に５ｍｓが含まれ、第二の基礎パラメータセットの無線フレーム毎に８ｍｓが含まれ、この２つの時間領域基礎パラメータセットが異なると考えられてもよく、第一の基礎パラメータセットの各サブフレームが４つのタイムスロットを含み、第二の基礎パラメータセットの各サブフレームが３つのタイムスロットを含み、この２つの時間領域基礎パラメータセットが異なると考えられてもよく、第一の基礎パラメータセットの各タイムスロットが１２個のシンボルを含み、第二の基礎パラメータセットの各タイムスロットが８つのシンボルを含み、この２つの時間領域基礎パラメータセットが異なると考えられてもよく、第一の基礎パラメータセットのサブ搬送波間隔が１０ｋであり、第二の基礎パラメータセットのサブ搬送波間隔が２０ｋであり、この２つの周波数領域基礎パラメータセットが異なると考えられてもよく、第一の基礎パラメータセットの各基礎周波数領域ユニットが１５個の連続したサブ搬送波を含み、第二の基礎パラメータセットの各基礎周波数領域ユニットが８つの連続したサブ搬送波を含み、この２つの周波数領域基礎パラメータセットが異なると考えられてもよく、第一の基礎パラメータセットの周波数領域における連続した１０つのサブ搬送波、時間領域における一つのタイムスロットによって１つのＲＢを構成し、第二の基礎パラメータの周波数領域における連続した８つのサブ搬送波、時間周波数領域における２つのタイムスロットによって１つのＲＢを構成し、この２つの基礎パラメータセットが異なると考えられてもよく、第一の基礎パラメータセットの周波数領域における１つのサブ搬送波、時間領域における２つのシンボルによって１つのＲＥを構成し、第二の基礎パラメータセットの周波数領域における２つのサブ搬送波、時間領域における１つのシンボルによって１つのＲＥを構成してもよく、この２つの基礎パラメータセットが異なると考えられてもよい。
【００４２】
例えば、異なる基礎パラメータセットは、異なるＲＥ、異なるＲＢ、異なるスケジューリングブロック（Ｓｃｈｅｄｕｌｉｎｇ  Ｂｌｏｃｋ：「ＳＢ」と略称）であってもよく、例えば、第一の基礎パラメータセットのＲＥが８で、第二の基礎パラメータセットのＲＥが１０であり、第一の基礎パラメータセットと第二の基礎パラメータセットが異なると考えられてもよく、第一の基礎パラメータセットのＲＢが６つのＲＥを含み、第二の基礎パラメータセットのＲＢが１０つのＲＥを含み、第一の基礎パラメータセットと第二の基礎パラメータセットが異なると考えられてもよく、第一の基礎パラメータセットのＳＢが２０個のＲＢを含み、第二の基礎パラメータセットのＳＢが１５個のＲＢを含み、第一の基礎パラメータセットと第二の基礎パラメータセットが異なると考えれてもよく、これによりデータ伝送プロセスにおいて異なるＲＥ、ＲＢ又はＳＢをデータユニットとしてデータを伝送することができ、さらにネットワークにおけるデータ多様化ニーズに適応することができる。
【００４３】
選択可能に、時間領域リソースマッピング方式は、時間周波数リソース割り当て方式を含むこともでき、例えば第一の基礎パラメータセットの１つのタイムスロットが８つのシンボルを含み、１番目、３番目、８番目のシンボルで制御プレーンデータを送信することができ、第二の基礎パラメータセットの１つのタイムスロットが１２つのシンボルを含み、２番目、９番目、１０番目のシンボルで制御プレーンデータを送信することができる。
【００４４】
一つの選択可能な実施例として、特定のシステム時間周波数リソース内で、異なる複数の基礎パラメータセットを確定することができ、例えば、０〜２０Ｍｈｚのシステム帯域幅内、０〜１０Ｍｈｚの帯域幅で第一の基礎パラメータセットを使用してビームを送信し、１０〜２０Ｍｈｚの帯域幅で第二の基礎パラメータセットを使用してビームを送信する。
【００４５】
理解すべきものとして、上記の異なる基礎パラメータセットの例示的な説明が理解を容易にするためのものだけであり、該基礎パラメータセットはｎｕｍｅｒｏｌｏｇｙであってもよく、時間周波数領域リソースｎｕｍｅｒｏｌｏｇｙにおける要素のいずれかの変更によって生成される異なる基礎パラメータは本発明の実施例の保護範囲内に含まれる。
【００４６】
理解すべきものとして、該送信側は端末装置であってもよく、受信側はネットワーク装置であってもよく、又は該送信側はネットワーク装置であってもよく、該受信側は端末装置であってもよく、本発明の実施例はこれに限定されない。
【００４７】
一つの選択可能な実施例として、異なる基礎パラメータセットが異なる電力計算方式を含み、異なる電力計算方式が開ループ電力計算方式と閉ループ電力計算方式を含む。
【００４８】
理解すべきものとして、閉ループ電力計算とは送信側が受信側から送信されたフィードバック情報に基づいて信号の送信電力を計算することであり、開ループ電力計算とは送信側が受信側からのフィードバックの受信を必要とせず、それ自体の測定情報に基づいて信号の送信電力を計算して得ることである。例えば、開ループ電力計算方式は、端末装置がネットワーク装置からの情報フィードバックの受信を必要とせず、システムメッセージに基づいてネットワーク装置のパイロットの送信電力を確定し、又は現在の受信されたパイロット電力を測定してダウンリンクの損失を推定することにより、ダウンリンクの損失をアップリンクの損失として近似し、アップリンク干渉信号などに基づいてアップリンクの送信電力を計算することができることであってもよい。閉ループ電力計算方式は、端末装置がネットワーク装置の信号受信電力に基づいて端末装置の信号送信電力を動的に確定することであってもよい。
【００４９】
一つの選択可能な実施例として、該送信側がＮ個の基礎パラメータセットにおいて第一のデータを送信するための第一のビームの第一のターゲット基礎パラメータセットを確定することは、該送信側が該第一のデータのデータタイプを確定することと、該送信側が該第一のデータのデータタイプに応じて該第一のターゲット基礎パラメータセットを確定することとを含み、１つのチャネルが一つの基礎パラメータセットに対応してもよいし、複数の基礎パラメータセットに対応してもよいと理解できる。
【００５０】
一つの選択可能な実施例として、該第一のデータのデータタイプがＭ個の基礎パラメータセットに対応し、該Ｎ個の基礎パラメータセットが該Ｍ個の基礎パラメータセットを含み、Ｍが２以上の整数であり、且つＭがＮより小さく、ここで、該送信側が該データタイプに応じて該第一のターゲット基礎パラメータセットを確定することは、該送信側が該データタイプに応じてＭ個の基礎パラメータセットを確定することと、該Ｍ個の基礎パラメータセットにおいて該第一のターゲット基礎パラメータセットを確定することとを含む。
【００５１】
さらに、異なるデータタイプは制御プレーンデータとユーザプレーンデータのうちの少なくとも一つであってもよく、例えば第一のデータが制御プレーンデータである場合、制御チャネルは複数の異なる基礎パラメータセットに対応することができ、第一のデータがユーザプレーンデータである場合、サービスチャネルは複数の異なる基礎パラメータセットに対応することができ、当然、ユーザプレーンデータと制御プレーンデータがいずれも存在する場合、制御チャネルは一つの基礎パラメータセットに対応し、サービスチャネルは別の基礎パラメータセットに対応し、該制御チャネルとサービスチャネルは同じ基礎パラメータセットに対応することもでき、本発明の実施例はこれに限定されない。
【００５２】
さらに、データタイプが異なるデータに応じて定義されてもよく、データを制御プレーンデータとユーザプレーンデータの２つのタイプに分割することができ、制御プレーンデータに対して、物理アップリンク制御チャネル（Ｐｈｙｓｉｃａｌ  Ｕ  ｐｌｉｎｋ  Ｃｏｎｔｒｏｌ  Ｃｈａｎｎｅｌ：「ＰＵＣＣＨ」と略称）と物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：「ＰＤＣＣＨ」と略称）の２つのチャネルに対応することができ、ユーザプレーンデータに対して、物理ダウンリンク共有チャネル（Ｐｈｙｓｉｃａｌ  Ｄｏｗｎｌｉｎｋ  Ｓｈａｒｅｄ  Ｃｈａｎｎｅｌ：「ＰＤＳＣＨ」と略称）と物理アップリンク共有チャネル（Ｐｈｙｓｉｃａｌ  Ｕｐｌｉｎｋ  Ｓｈａｒｅｄ  Ｃｈａｎｎｅｌ：「ＰＵＳＣＨ」と略称）の２つのチャネルに対応することができ、また、例えば、ダウンリンクデータに対して、異なるデータタイプに応じてチャネルを分割することができ、例えばブロードキャストチャネル（Ｐｈｙｓｉｃａｌ  Ｂｒｏａｄｃａｓｔ  Ｃｈａｎｎｅｌ：「ＰＢＣＨ」と略称）、ダウンリンク共有データチャネル（Ｐｈｙｓｉｃａｌ  Ｄｏｗｎｌｉｎｋ  Ｓｈａｒｅｄ  Ｃｈａｎｎｅｌ：「ＰＤＳＣＨ」と略称）、制御フォーマット指示チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：「ＰＣＦＩＣＨ」と略称）、ダウンリンク制御チャネル（Ｐｈｙｓｉｃａｌ  Ｄｏｗｎｌｉｎｋ  Ｃｏｎｔｒｏｌ  Ｃｈａｎｎｅｌ：「ＰＤＣＣＨ」と略称）、ＨＡＲＱ指示チャネル（Ｐｈｙｓｉｃａｌ  Ｈｙｂｒｉｄ  ＡＲＱ  Ｉｎｄｉｃａｔｏｒ  Ｃｈａｎｎｅｌ：「ＰＨＩＣＨ」と略称）、物理マルチキャストチャネル（Ｐｈｙｓｉｃａｌ  ｍｕｌｔｉｃａｓｔ  ｃｈａｎｎｅｌ：「ＰＭＣＨ」と略称）、基準信号（Ｒｅｆｅｒｅｎｃｅ  Ｓｉｇｎａｌ：「ＲＳ」と略称）と同期信号（Ｓｙｎｃｈｒｏｎｉｚａｔｉｏｎ  Ｓｉｇｎａｌ：「ＳＣＨ」と略称）などに分割することができ、ここでアップリンクチャネルの分割について一つずつ挙げない。上記の１つの物理チャネルが一つの基礎パラメータセットに対応することができ、一つの物理チャネルが複数の基礎パラメータセットに対応することもでき、同一の物理チャネルが複数の異なるリソース位置に対応することができ、異なる
リソース位置で異なる基礎パラメータセットを使用することができ、異なるリソース位置は時間領域、周波数領域が同じであるが空間領域が異なると理解されてもよく、即ち、時間領域と空間領域が同じであるが周波数領域が異なると理解されてもよく、周波数領域と空間領域が同じであるが時間領域が異なると理解されてもよく、即ち時間領域、周波数領域と空間領域のうちの少なくとも一つが異なると２つの異なるリソース位置として定義してもよい。選択可能に、異なる物理チャネルが異なる基礎パラメータセットに対応することができ、本発明の実施例ではチャネルと基礎パラメータセットとの対応関係が限定されない。
【００５３】
一つの選択可能な実施例として、該第一のデータのデータタイプが制御プレーンデータである場合、該送信側が時間領域リソース、空間領域リソースと周波数領域で該第一のターゲット基礎パラメータセットに基づいて該第一のビームを送信する前に、該方法はさらに、該送信側がビームフォーミングアルゴリズムに基づいて第三のビームを処理して該第一のビームを得ることを含む。
【００５４】
具体的には、多入力多出力（Ｍｕ１ｔｉｐｌｅ−Ｉｎｐｕｔ  Ｍｕ１ｔｉｐｌｅ−Ｏｕｔｐｕｔ：「ＭＩＭＯ」と略称）などのアンテナ技術では、制御チャネル上の第三のビームに対してビームフォーミング処理を行って指向性の第一のビームなどを生成することができ、選択可能に、データチャネルで送信されるデータに対してビームフォーミング処理を行うことができ、制御チャネルで送信されるデータに対してビームフォーミング処理を行うこともでき、本発明の実施例はこれに限定されない。
【００５５】
一つの選択可能な実施例として、該方法はさらに、該送信側がＮ個の基礎パラメータセットにおいて第二のデータを送信するための第二のビームの第二のターゲット基礎パラメータセットを確定し、該第二のデータのデータタイプが該第一のデータのデータタイプと異なり、該第二のターゲット基礎パラメータセットが該第一のターゲット基礎パラメータセットと異なり、該送信側が時間領域リソース、空間領域リソース、及び周波数領域リソースで該第二のターゲット基礎パラメータセットに基づいて該第二のビームを送信することを含む。
【００５６】
理解すべきものとして、第一のデータと第二のデータが同じデータであってもよいし、異なるデータであってもよく、即ち第一のビームと第二のビームが同じデータを送信してもよく、ここで同じデータが同じサービスデータ又は同じ制御データであってもよく、異なるデータが異なるサービスデータ又は異なる制御データであってもよく、又は第一のデータがサービスデータであってもよく、第二のデータが制御データであってもよく、本発明の実施例はこれに限定されない。
【００５７】
一つの選択可能な実施例では、該第一のデータと該第二のデータが同じであり、該送信側が時間領域リソース、空間領域リソース、及び周波数領域リソースで該第一のターゲット基礎パラメータセットに基づいて該第一のビームを送信する前に、該方法はさらに、該送信側が該受信側へビームリソース構成情報を送信し、該ビームリソース構成情報が該第一のデータを送信するための該第一のビームに占有される第一のリソース位置、該第二のデータを送信するための該第二のビームに占有される第二のリソース位置を示すことに用いられ、受信側が該ビームリソース構成情報に基づいて該第一のデータと該第二のデータを処理するようにすることを含む。
【００５８】
具体的には、送信側がネットワーク装置であり、受信側が端末装置である場合、ネットワーク装置はビームリソース構成情報を端末装置に送信することができ、ビームリソース構成情報が同じデータを送信するためのビームに占有されたリソース位置を示すことに用いられ、端末装置がビームリソース構成情報を受信した場合、同じデータを送信するためのビームの２つの異なるリソース位置を確定することができ、これにより、この２つの異なるリソース位置で受信されたデータに対して合わせゲイン計算を行うことができる。
【００５９】
一つの選択可能な実施例として、該第一のデータと該第二のデータが同じであり、該送信側が時間領域リソース、空間領域リソース、及び周波数領域リソースで該第一のターゲット基礎パラメータセットに基づいて該第一のビームを送信する前に、該方法はさらに、該送信側が時間間隔周期を取得することを含み、ここで、該送信側が時間領域リソース、空間領域リソース、及び周波数領域リソースで該第一のターゲット基礎パラメータセットに基づいて該第一のビームを送信することは、該送信側が該時間間隔周期に基づき、第一の時点で、該第一のターゲット基礎パラメータセットを使用して該第一のビームを送信することを含み、該送信側が時間領域リソース、空間領域リソース、及び周波数領域リソースで該第二のターゲット基礎パラメータセットに基づいて該第二のビームを送信することは、該送信側が該時間間隔周期に基づき、第二の時点で、該第二のターゲット基礎パラメータセットを使用して該第二のビームを送信することを含み、該第一の時点と該第二の時点が該時間間隔周期に基づいて同じデータを送信する隣接時点であり、該第一のターゲット基礎パラメータセットと該第二のターゲット基礎パラメータセットが異なる。
【００６０】
一つの選択可能な実施例として、該第一のデータと該第二のデータが同じであり、該送信側が時間領域リソース、空間領域リソース、及び周波数領域リソースで該第一のターゲット基礎パラメータセットに基づいて該第一のビームを送信する前に、該方法はさらに、該送信側がリソース間隔を取得することを含み、ここで、該送信側が時間領域リソース、空間領域リソース、及び周波数領域リソースで該第一のターゲット基礎パラメータセットに基づいて該第一のビームを送信することは、該送信側が該リソース間隔に基づき、第一の周波数領域リソースで、該第一のターゲット基礎パラメータセットを使用して該第一のビームを送信することを含み、該送信側が時間領域リソース、空間領域リソース、及び周波数領域リソースで該第二のターゲット基礎パラメータセットに基づいて該第二のビームを送信することは、該送信側が該リソース間隔に基づき、第二の周波数領域で、該第二のターゲット基礎パラメータセットを使用して該第二のビームを送信することを含み、該第一の周波数領域リソースと該第二の周波数領域リソースが該リソース間隔に基づいて同じデータを送信するための隣接リソースである。
【００６１】
具体的には、周期間隔を設定し、各周期間隔で送信側が受信側へ同じデータを送信することを確定することができ、該周期間隔は時間の間隔であってもよく、これにより、端末装置は、２つの異なる時点で２つの異なるビームによって同じデータを受信する。各リソース間隔で送信側が受信側へ同じデータを送信することを確定するために、リソース間隔を設定してもよく、該リソース間隔が周波数領域リソース間隔であってもよく、これにより、受信側は２つの異なるリソース位置で２つの異なるビームによって同じデータを受信し、受信側が同じデータを受信した場合、受信された同じデータを保存して合わせて異なるビームデータの合わせゲインを取得することができる。理解すべきものとして、送信側がネットワーク装置であり、受信側が端末装置である場合、該時間間隔周期とリソース間隔でネットワーク装置は端末装置へ指示情報を送信し、端末装置が時間間隔周期又はリソース間隔で同じデータを送信することを示すことができ、又は該時間間隔周期又はリソース間隔で同じデータを送信するこことがネットワークプロトコルによって規定されてもよく、当然、異なる端末装置及びネットワーク装置に対して異なる時間間隔周期又はリソース間隔を設定し、実際の応用中に時間間隔周期とリソース間隔が固定されなくてもよく、実際のニーズに応じて確定され、又はプロトコルに基づいて規定され、本発明の実施例はこれに限定されない。
【００６２】
一つの可能な実施例として、該送信側がネットワーク装置であり、該受信側が端末装置であり、該送信側が時間領域リソース、空間領域リソース、及び周波数領域リソースで該第一のターゲット基礎パラメータセットに基づいて該第一のビームを送信する前に、該方法はさらに、該ネットワーク装置が該端末装置へ該第一のビームが位置するリソース位置を示すためのリソース位置指示情報を送信することと、該端末装置が該ネットワーク装置から送信された該リソース位置指示情報を受信することと、該端末装置が該リソース位置指示情報に基づいて該第一のビームを受信することとを含む。
【００６３】
具体的には、端末装置が第一のビームを受信する時に、第一のビームに占有されたリソース位置を知らないため、ネットワーク装置は第一のビームのリソース位置指示情報を端末装置に送信する必要があり、端末装置は該リソース位置指示情報に基づいて第一のビームに占有されたリソース位置を確定して該リソース位置で該第一のビームを受信し、選択可能に、一つの物理チャネルに対して複数のビームを送信することができ、該複数のビームが多種の基礎パラメータセットに対応することができ、ネットワーク装置が端末装置へ複数のビームを送信する必要がある場合、複数のビームに占有されたリソース位置をリソース位置指示情報によって端末装置に通知する必要があり、これにより、端末装置が正確なリソース位置でビームを受信することを確定することができる。
【００６４】
一つの選択可能な実施例として、該送信側がネットワーク装置であり、該受信側が端末装置であり、該送信側がＮ個の基礎パラメータセットにおいて第一のデータを送信するための第一のビームの第一のターゲット基礎パラメータセットを確定する前に、該方法はさらに、該ネットワーク装置が該端末装置へデータタイプと該第一のターゲット基礎パラメータセットとの対応関係を示すための第一の指示情報を送信することを含む。
【００６５】
一つの選択可能な実施例として、該送信側が端末装置であり、該受信側がネットワーク装置であり、該送信側がＮ個の基礎パラメータセットにおいて第一のデータを送信するための第一のビームの第一のターゲット基礎パラメータセットを確定する前に、該方法はさらに、該端末装置が該ネットワーク装置から送信された、データタイプと該第一のターゲット基礎パラメータセットとの対応関係を示すための第二の指示情報を受信することを含み、ここで、送信側がＮ個の基礎パラメータセットにおいて第一のデータを送信するための第一のビームの第一のターゲット基礎パラメータセットを確定することは、該端末装置が該第一の指示情報に基づいてＮ個の基礎パラメータセットにおいて該第一のターゲット基礎パラメータセットを確定することを含み、ここでの第二の指示情報と第一の指示情報が同じ情報であってもよい。
【００６６】
具体的には、送信側がネットワーク装置であり、受信側が端末装置である場合、ネットワーク装置は端末装置へ第一の指示情報を送信してデータタイプと基礎パラメータセットとの対応関係を示すことができ、例えば該第一の指示情報が該第一のビームと基礎パラメータセットとの対応関係を示すことができ、データタイプと基礎パラメータセットとの対応関係を示すこともでき、第一の指示情報が第一のビームに対応する基礎パラメータセットの組み合わせ識別子であってもよく、ネットワーク装置が該組み合わせ識別子を端末装置に送信し、端末装置はデータを受信するための第一のビームの基礎パラメータセットを確定することができる。
【００６７】
一つの選択可能な実施例として、第一のデータがユーザプレーンデータである場合、端末装置は、ネットワーク装置によって制御チャネルで送信された、第一のデータを送信するビームのための基礎パラメータセットを示すための第三の指示情報を受信することができ、具体的には、端末装置は該第三の指示情報を受信すると、第一のデータがデータチャネルで第一のビームによって送信されることを確定する。
【００６８】
選択可能に、該ネットワーク装置は第一の対応関係に応じて端末装置へ第一のビームを送信することができ、即ち該第一の対応関係はＮ個の基礎パラメータセットとＮ個のビームパラメータとの対応関係であってもよく、即ちビームが基礎パラメータセットと一対一で対応し、該第一の対応関係はネットワークプロトコルによって規定されてもよく、又はネットワーク装置は該第一の対応関係を設定し、且つ該第一の対応関係を端末装置へ送信することができ、本発明の実施例はこれに限定されない。選択可能に、設定された周期Ｔ内で、ＴがＴ０、Ｔ１、Ｔ２、Ｔ３の４つの期間を含むことができ、該４つの期間内のビームの基礎パラメータセットはＮＯ、Ｎ１、Ｎ２、Ｎ３、Ｎ４、Ｎ５、Ｎ６、Ｎ７、Ｎ８、Ｎ９であってもよく、Ｔ０内のビームの基礎パラメータセットがＮ４である場合、Ｔ１内のビームの基礎パラメータセットがＮ５であってもよく、Ｔ２内のビームの基礎パラメータセットがＮ６であってもよく、Ｔ３内のビームの基礎パラメータセットがＮ７であってもよく、これにより、時間の分割順序によってビームの基礎パラメータセットを選択することができる。
【００６９】
一つの選択可能な実施例として、基礎パラメータセットは、時間領域基礎パラメータセット、空間領域基礎パラメータセット、周波数領域基礎パラメータセットと電力計算方式のうちの少なくとも一つから構成される一つのセットであってもよく、時間領域基礎パラメータセット、空間領域基礎パラメータセット、周波数領域基礎パラメータセットに対応する３つの基礎パラメータセットの各々がいずれも選択可能であり、基礎パラメータセットにある基礎パラメータセットが含まれない場合、該基礎パラメータセットが空であり、選択可能に、該基礎パラメータセットが空である場合、第一のビームが従来の該基礎パラメータセットを使用できることを示すことができ、例えば第一のビームはプロトコルに定められた基礎パラメータセットに従って送信されてもよい。ネットワーク装置は基礎パラメータセットの組み合わせ識別子を端末装置に送信することができ、例えば組み合わせ識別子が表１の１番目の列における組み合わせ識別子であってもよく、一例として、組み合わせ識別子と周波数領域リソース組み合わせ識別子、時間領域リソース組み合わせ識別子、空間領域リソース組み合わせ識別子と電力計算方式の対応関係は表１で簡単に説明されてもよく、表１の１番目の列が組み合わせ識別子を表すことができ、組み合わせ識別子が例えば１、２、３......ｉであってもよく、ｉが自然数であり、各組み合わせ識別子が特定の基礎パラメータセットの組み合わせに対応する。選択可能に、該組み合わせ識別子はネットワーク装置によって確定され、ネットワーク装置から端末装置に組み合わせ識別子を送信してもよく、ネットワークプロトコルに基づいて規定されてもよく、本発明の実施例はこれに限定されない。
【００７０】
表１の２番目の列が周波数領域基礎パラメータセットの組み合わせ識別子を表すことができ、例えば、２番目の列におけるＤ１、Ｄ２、Ｄ３、......Ｄｉがｉ種類の周波数領域基礎パラメータセットを表し、当然、Ｄ１、Ｄ２、Ｄ３、......Ｄｉの少なくとも２つが同じであってもよく、異なってもよく、本発明の実施例はこれに限定されない。
【００７１】
表１の３番目の列は時間領域基礎パラメータセットの組み合わせ識別を表することができ、例えば、３番目の列におけるＥ１、Ｅ２、Ｅ３......Ｅｉがｉ種類の時間領域基礎パラメータセットの組み合わせ識別子を表し、当然、Ｅ１、Ｅ２、Ｅ３.....Ｅｉの少なくとも２つが同じであってもよく、異なってもよく、本発明の実施例はこれに限定されない。時間領域リソースに特定の期間及び／又は特定の時点、及び時間領域リソース周期などが含まれてもよい。
【００７２】
表１の４番目の列は基礎パラメータセットの組み合わせ識別を表することができ、Ｆ１、Ｆ２、Ｆ３......Ｆｉがｉ種類の空間領域基礎パラメータセットの組み合わせ識別子を表し、当然、Ｆ１、Ｆ２、Ｆ３......Ｆｉの少なくとも２つが同じであってもよく、異なってもよく、本発明の実施例はこれに限定されない。
【００７３】
表１の５番目の列は電力計算方式を表することができ、例えば、５番目の列のＧ１が開ループ電力計算方式を表し、Ｇ２が閉ループ電力計算方式などを表す。
【００７４】
2019525516.tif 000003
例えば、該第一のビームの該基礎パラメータセットの組み合わせ識別子の識別子番号が１であると確定された場合、第一のビームの周波数領域基礎パラメータセットがＤ１で、時間領域基礎パラメータセットがＥ１で、空間領域基礎パラメータセットがＦ１であり、且つ開ループ電力計算方式で第一のデータを送信し、上記において、一つの特定の組み合わせ識別子で、いくつかのリソースの基礎パラメータセットの組み合わせを表す。
【００７５】
選択可能に、表１の組み合わせ識別子で表される基礎パラメータセットに基づき、異なる物理チャネルが同じ組み合わせ識別子を確定することもでき、即ち異なる物理チャネルが同じ基礎パラメータセットを使用し、同一の物理チャネルが異なる組み合わせ識別子を確定することができ、同一の物理チャネルは複数の異なる基礎パラメータセットを確定することができ、異なる物理チャネルは異なる組み合わせ識別子を確定することができ、即ち物理チャネルが複数の異なる基礎パラメータセットを確定することができる。
【００７６】
以上に図２を参照しながら本発明の実施例によるデータ伝送方法を詳細に説明し、以下に図３−図５を参照して本発明の実施例によるデータ伝送装置を説明する。理解すべきものとして、本発明の実施例によるデータ伝送装置は上記の本発明の実施例における各方法を実行することができ、即ち以下の装置の具体的な実行プロセスについて、上記方法の実施例における対応するプロセスを参照することができる。
【００７７】
図３は本発明の実施例によるデータ伝送装置３００の概略図であり、該装置３００は、
Ｎ個の基礎パラメータセットにおいて第一のデータを送信するための第一のビームの第一のターゲット基礎パラメータセットを確定するように構成され、該Ｎ個の基礎パラメータセット内の異なる基礎パラメータセットが異なる周波数領域基礎パラメータセット及び／又は異なる時間領域基礎パラメータセットを含み、Ｎが２以上の整数である確定モジュール３１０と、
時間領域リソース、空間領域リソース、及び周波数領域リソースで該第一のターゲット基礎パラメータセットに基づいて該第一のビームを送信するように構成される送信モジュール３２０とを備える。
【００７８】
一つの選択可能な実施例として、該異なる時間周波数基礎パラメータセットは、異なるサブ搬送波間隔、異なる基礎周波数領域ユニット、異なる周波数領域ユニットパターン、及び異なるサブ搬送波パターンのうちの少なくとも１つを含む。
【００７９】
一つの選択可能な実施例として、異なる周波数基礎パラメータセットが異なるサブフレーム構造、異なる基礎時間領域ユニット、単位周期内の異なる伝送時間間隔ＴＴＩパターン、無線フレームにおける異なるサブフレームパターン、サブフレームにおける異なるタイムスロットパターン、タイムスロットにおける異なる直交周波数分割多重（ＯＦＤＭ）シンボルパターン、異なるサイクリックプレフィックス（ＣＰ）の長さ、該基礎時間領域ユニットでの基準シンボルに占有された異なる位置のうちの少なくとも１つを含むことを特徴とする。
【００８０】
一つの選択可能な実施例として、該確定モジュール３１０は具体的に、該第一のデータのデータタイプを確定し、該第一のデータのデータタイプに応じて該第一のターゲット基礎パラメータセットを確定するように構成される。
【００８１】
一つの選択可能な実施例として、該第一のデータのデータタイプがＭ個の基礎パラメータセットに対応し、該Ｎ個の基礎パラメータセットが該Ｍ個の基礎パラメータセットを含み、Ｍが２以上の整数であり、且つＭがＮより小さく、該確定モジュール３１０は具体的に、該データタイプに応じてＭ個の基礎パラメータセットを確定し、該Ｍ個の基礎パラメータセットにおいて該第一のターゲット基礎パラメータセットを確定するように構成される。
【００８２】
一つの選択可能な実施例として、該第一のデータのデータタイプが制御プレーンデータである場合、該確定モジュール３１０はさらに、時間領域リソース、空間領域リソース、及び周波数領域リソースで該第一のターゲット基礎パラメータセットに基づいて該第一のビームを送信する前に、ビームフォーミングアルゴリズムに基づいて第三のビームを処理して該第一のビームを得るように構成される。
【００８３】
一つの選択可能な実施例として、該Ｎ個の基礎パラメータセットの異なる２つの基礎パラメータセットは異なる電力計算方式を含み、該電力計算方式が開ループ電力計算方式と閉ループ電力計算方式を含む。
【００８４】
一つの選択可能な実施例として、該確定モジュール３１０はさらに、Ｎ個の基礎パラメータセットにおいて第二のデータを送信するための第二のビームの第二のターゲット基礎パラメータセットを確定するように構成され、該第二のデータのデータタイプが該第一のデータのデータタイプと異なり、該第二のターゲット基礎パラメータセットが該第一のターゲット基礎パラメータセットと異なり、該送信モジュール３２０はさらに、時間領域リソース、空間領域リソース、及び周波数領域リソースで該第二のターゲット基礎パラメータセットに基づいて該第二のビームを送信するように構成される。
【００８５】
一つの選択可能な実施例として、該第一のデータと該第二のデータが同じであり、該送信モジュール３２０はさらに、時間領域リソース、空間領域リソース、及び周波数領域リソースで該第一のターゲット基礎パラメータセットに基づいて該第一のビームを送信する前に、該受信側へビームリソース構成情報を送信し、該ビームリソース構成情報が該第一のデータを送信するための該第一のビームに占有される第一のリソース位置、該第二のデータを送信するための該第二のビームに占有される第二のリソース位置を示すことに用いられ、受信側が該ビームリソース構成情報に基づいて該第一のデータと該第二のデータを処理するようにするように構成される。
【００８６】
一つの選択可能な実施例として、該第一のデータと該第二のデータが同じであり、該装置は、時間領域リソース、空間領域リソース、及び周波数領域リソースで該第一のターゲット基礎パラメータセットに基づいて該第一のビームを送信する前に、時間間隔周期を取得するように構成される第一の取得モジュールをさらに備え、該送信モジュール３２０はさらに時間間隔周期に基づき、第一の時点で、該第一のターゲット基礎パラメータセットを使用して該第一のビームを送信するように構成され、該送信モジュール３２０はさらに、該時間間隔周期に基づき、第二の時点で、該第二のターゲット基礎パラメータセットを使用して該第二のビームを送信するように構成され、該第一の時点と該第二の時点が該時間間隔周期に基づいて同じデータを送信する隣接時点である。
【００８７】
一つの選択可能な実施例として、該第一のデータと該第二のデータが同じであり、該装置はさらに、時間領域リソース、空間領域リソース、及び周波数領域リソースで該第一のターゲット基礎パラメータセットに基づいて該第一のビームを送信する前に、リソース間隔を取得するように構成される第二の取得モジュールを備え、該送信モジュール３２０はさらに、該リソース間隔に基づき、第一の周波数領域リソースで、該第一のターゲット基礎パラメータセットを使用して該第一のビームを送信するように構成され、該送信モジュール３２０はさらに、該リソース間隔に基づき、第二の周波数領域で、該第二のターゲット基礎パラメータセットを使用して該第二のビームを送信するように構成され、該第一の周波数領域リソースと該第二の周波数領域リソースが該リソース間隔に基づいて同じデータを送信するための隣接リソースである。
【００８８】
一つの選択可能な実施例として、該装置がネットワーク装置であり、該受信側が端末装置であり、該送信モジュール３２０はさらにＮ個の基礎パラメータセットにおいて第一のデータを送信するための第一のビームの第一のターゲット基礎パラメータセットを確定する前に、該端末装置へデータタイプと該第一のターゲット基礎パラメータセットとの対応関係を示すための第一の指示情報を送信するように構成される。
【００８９】
一つの選択可能な実施例として、該装置が端末装置であり、該受信側がネットワーク装置であり、該装置はさらに、Ｎ個の基礎パラメータセットにおいて第一のデータを送信するための第一のビームの第一のターゲット基礎パラメータセットを確定する前に、該ネットワーク装置から送信された、データタイプと該第一のターゲット基礎パラメータセットとの対応関係を示すための第二の指示情報を受信するように構成される受信モジュールを備え、該確定モジュール３１０はさらに、該第二の指示情報に基づいてＮ個の基礎パラメータセットにおいて該第一のターゲット基礎パラメータセットを確定するように構成され、ここでの第二の指示情報が上記の第一の指示情報と同じ又は異なり、本発明の実施例はこれに限定されない。
【００９０】
一つの選択可能な実施例として、該装置がネットワーク装置であり、該受信側が端末装置であり、該送信モジュール３２０はさらに、時間領域リソース、空間領域リソース、及び周波数領域リソースで該第一のターゲット基礎パラメータセットに基づいて該第一のビームを送信する前に、該端末装置へ該第一のビームが位置するリソース位置を示すためのリソース位置指示情報を送信するように構成される。
【００９１】
理解すべきものとして、ここでの装置３００は機能モジュールの形態で具体化されている。ここでの用語「モジュール」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は記載された機能性をサポートする他の適切な部材を指してもよい。一つの選択可能な例では、当業者は、装置３００が具体的に上記実施例におけるネットワーク装置であり、装置３００が上記方法の実施例におけるネットワーク装置に対応する各プロセス及び／又はステップを実行することに用いられてもよく、繰り返しを回避するために、ここでは説明を省略することを理解することができる。
【００９２】
装置３００がネットワーク装置である場合、本発明の実施例によるデータを伝送するための通信システムは装置３００と端末装置を備えることができ、装置３００が端末装置である場合、本発明の実施例によるデータを伝送するための通信システムは装置３００とネットワーク装置を備えることができる。
【００９３】
図４に本発明の実施例によるデータ伝送装置４００の概略図である。該装置４００は方法２００におけるネットワーク装置１１０又は端末装置１２０であってもよく、該装置４００は受信機４１０、プロセッサ４２０、送信機４３０、メモリ４４０とバスシステム４５０を備える。ここで、受信機４１０、プロセッサ４２０、送信機４３０とメモリ４４０はバスシステム４５０を介して接続し、該メモリ４４０が命令を記憶することに用いられ、該プロセッサ４２０が該メモリ４４０に記憶された命令を実行し、信号を受信するように受信機４１０を制御し、且つ命令を送信するように該送信機４３０を制御することに用いられる。
【００９４】
ここで、プロセッサ４２０は、Ｎ個の基礎パラメータセットにおいて第一のデータを送信するための第一のビームの第一のターゲット基礎パラメータセットを確定するように構成され、該Ｎ個の基礎パラメータセット内の異なる基礎パラメータセットが異なる周波数領域基礎パラメータセット及び／又は異なる時間領域基礎パラメータセットを含み、Ｎが２以上の整数であり、送信機４３０は、時間領域リソース、空間領域リソース、及び周波数領域リソースで該第一のターゲット基礎パラメータセットに基づいて該第一のビームを送信するように構成される。
【００９５】
理解すべきものとして、装置４００は具体的に上記実施例における送信側であってもよく、且つ上記方法の実施例における送信側に対応する各ステップ及び／又はプロセスを実行することに用いられてもよい。選択可能に、該プロセッサ４４０は読み取り専用メモリとランダムアクセスメモリを含み、且つプロセッサへ命令とデータを提供することができる。メモリの一部が不揮発性ランダムアクセスメモリを含むことができる。例えば、メモリはさらに装置タイプの情報を記憶することができる。該プロセッサ４２０はメモリに記憶された命令を実行することに用いられてもよく、且つ該プロセッサが該命令を実行すると、該プロセッサは上記方法の実施例における送信側に対応する各ステップを実行することができる。
【００９６】
図５は本発明の実施例によるデータを伝送するためのシステムチップの概略構造図である。図５のシステムチップは入力インタフェース５１０、出力インタフェース５２０、少なくとも一つのプロセッサ５３０、メモリ５４0を備え、該入力インタフェース５１０、出力インタフェース５２０、プロセッサ５３０及びメモリ５４０はバスを介して接続し、該プロセッサ５３０が該メモリ５４０でのコードを実行することに用いられ、該コードが実行されると、該プロセッサ５３０は図２における送信側によって実行される方法を実現する。
【００９７】
ここで、プロセッサ５３０は、Ｎ個の基礎パラメータセットにおいて第一のデータを送信するための第一のビームの第一のターゲット基礎パラメータセットを確定するように構成され、該Ｎ個の基礎パラメータセット内の異なる基礎パラメータセットが異なる周波数領域基礎パラメータセット及び／又は異なる時間領域基礎パラメータセットを含み、Ｎが２以上の整数であり、出力インタフェース５２０は、時間領域リソース、空間領域リソース、及び周波数領域リソースで該第一のターゲット基礎パラメータセットに基づいて該第一のビームを送信するように構成される。
【００９８】
理解すべきものとして、図４及び図５に記載される本発明の実施例における装置及びシステムチップは上記方法の各ステップを実施でき、繰り返しを回避するために、ここで詳細な説明を省略する。
【００９９】
理解すべきものとして、本発明の実施例では、プロセッサは中央処理ユニット（ＣＰＵ：Ｃｅｎｔｒａｌ  Ｐｒｏｃｅｓｓｉｎｇ  Ｕｎｉｔ）であってもよく、またプロセッサは他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブル論理デバイス、ディスクリートゲート又はトランジスタ論理デバイス、ディスクリートハードウェア部材であってもよい。汎用プロセッサはマイクロプロセッサであってもよく、又は該プロセッサはいずれかの従来のプロセッサなどであってもよい。
【０１００】
実施プロセスでは、上記方法の各ステップがプロセッサ内のハードウェアの集積論理回路又はソフトウェア形態の命令により完了されてもよい。本発明の実施例と組み合わせて開示された方法のステップはハードウェアプロセッサによって実行されて完了され、又はプロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける命令を実行し、そのハードウェアと組み合わせて上記方法のステップを完了する。繰り返しを回避するために、ここで詳細な説明を省略する。
【０１０１】
理解すべきものとして、本発明の各方法の実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではない。
【０１０２】
また、本明細書では用語「システム」と「ネットワーク」は本明細書において常に交換可能に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１０３】
理解すべきものとして、本発明の実施例では、「Ａに対応するＢ」はＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０１０４】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１０５】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１０６】
本出願が提供するいくつかの実施例では、開示されたシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１０７】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１０８】
また、本発明の各実施例における各機能ユニットは一つの処理ユニットに統合されてもよく、個々のユニットは単独で物理的に存在してもよく、２つ又は２つ以上のユニットは一つのユニットに統合されてもよい。
【０１０９】
前記機能はソフトウェア機能ユニットの形態で実現され且つ独立した製品として販売又は使用される場合、一つのコンピュータ可読記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１１０】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は特許請求の範囲によってに準拠するべきである。
【図１】
2019525516.tif 000004
【図２】
2019525516.tif 000005
【図３】
2019525516.tif 000006
【図４】
2019525516.tif 000007
【図５】
2019525516.tif 000008
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
データ伝送方法であって、
送信側がＮ個の基礎パラメータセットにおいて第一のデータを送信するための第一のビームの第一のターゲット基礎パラメータセットを確定し、前記Ｎ個の基礎パラメータセット内の異なる基礎パラメータセットが異なる周波数領域基礎パラメータセット及び／又は異なる時間領域基礎パラメータセットを含み、Ｎが２以上の整数であることと、
前記送信側が時間領域リソース、空間領域リソース、及び周波数領域リソースで前記第一のターゲット基礎パラメータセットに基づいて前記第一のビームを送信することとを含む、前記データ伝送方法。
【請求項２】
前記異なる周波数領域基礎パラメータセットは、
異なるサブ搬送波間隔、異なる基礎周波数領域ユニット、異なる周波数領域ユニットパターン、及び異なるサブ搬送波パターンのうちの少なくとも１つを含むことを特徴とする
請求項１に記載の方法。
【請求項３】
異なる時間領域基礎パラメータセットは、
異なるサブフレーム構造、異なる基礎時間領域ユニット、単位周期内の異なる伝送時間間隔ＴＴＩパターン、無線フレームにおける異なるサブフレームパターン、サブフレームにおける異なるタイムスロットパターン、タイムスロットにおける異なる直交周波数分割多重（ＯＦＤＭ）シンボルパターン、異なるサイクリックプレフィックス（ＣＰ）の長さと前記基礎時間領域ユニットでの基準シンボルに占有された異なる位置のうちの少なくとも１つを含むことを特徴とする
請求項１又は２に記載の方法。
【請求項４】
前記送信側がＮ個の基礎パラメータセットにおいて第一のデータを送信するための第一のビームの第一のターゲット基礎パラメータセットを確定することは、
前記送信側が前記第一のデータのデータタイプを確定することと、
前記送信側が前記第一のデータのデータタイプに応じて前記第一のターゲット基礎パラメータセットを確定することとを含むことを特徴とする
請求項１−３のいずれか一項に記載の方法。
【請求項５】
前記データ伝送方法はさらに、
前記送信側がＮ個の基礎パラメータセットにおいて第二のデータを送信するための第二のビームの第二のターゲット基礎パラメータセットを確定し、前記第二のデータのデータタイプが前記第一のデータのデータタイプと異なり、前記第二のターゲット基礎パラメータセットが前記第一のターゲット基礎パラメータセットと異なり、
前記送信側が時間領域リソース、空間領域リソース、及び周波数領域リソースで前記第二のターゲット基礎パラメータセットに基づいて前記第二のビームを送信することを含むことを特徴とする
請求項１−４のいずれか一項に記載の方法。
【請求項６】
前記送信側がＮ個の基礎パラメータセットにおいて第二のデータを送信するための第二のビームの第二のターゲット基礎パラメータセットを確定し、前記第一のデータが前記第二のデータと同じであることをさらに含み、
前記送信側が時間領域リソース、空間領域リソース、及び周波数領域リソースで前記第一のターゲット基礎パラメータセットに基づいて前記第一のビームを送信する前に、前記データ伝送方法はさらに、
前記送信側が受信側へビームリソース構成情報を送信し、前記ビームリソース構成情報が前記第一のデータを送信するための前記第一のビームに占有される第一のリソース位置、前記第二のデータを送信するための前記第二のビームに占有される第二のリソース位置を示すことに用いられ、前記受信側が前記ビームリソース構成情報に基づいて前記第一のデータと前記第二のデータを処理するようにすることを含むことを特徴とする
請求項１−４のいずれか一項に記載の方法。
【請求項７】
前記送信側がＮ個の基礎パラメータセットにおいて第二のデータを送信するための第二のビームの第二のターゲット基礎パラメータセットを確定し、前記第一のデータが前記第二のデータと同じであることと、
前記送信側が時間領域リソース、空間領域リソース、及び周波数領域リソースで前記第二のターゲット基礎パラメータセットに基づいて前記第二のビームを送信することをさらに含み、  前記送信側が時間領域リソース、空間領域リソース、及び周波数領域リソースで前記第一のターゲット基礎パラメータセットに基づいて前記第一のビームを送信する前に、前記データ伝送方法はさらに、
前記送信側が時間間隔周期を取得することを含み、
ここで、前記送信側が時間領域リソース、空間領域リソース、及び周波数領域リソースで前記第一のターゲット基礎パラメータセットに基づいて前記第一のビームを送信することは、
前記送信側が前記時間間隔周期に基づき、第一の時点で、前記第一のターゲット基礎パラメータセットを使用して前記第一のビームを送信することを含み、
前記送信側が時間領域リソース、空間領域リソース、及び周波数領域リソースで前記第二のターゲット基礎パラメータセットに基づいて前記第二のビームを送信することは、
前記送信側が前記時間間隔周期に基づき、第二の時点で、前記第二のターゲット基礎パラメータセットを使用して前記第二のビームを送信することを含み、前記第一の時点と前記第二の時点が前記時間間隔周期に基づいて同じデータを送信する隣接時点であることを含むことを特徴とする
請求項１−４のいずれか一項に記載の方法。
【請求項８】
前記送信側がＮ個の基礎パラメータセットにおいて第二のデータを送信するための第二のビームの第二のターゲット基礎パラメータセットを確定し、前記第一のデータが前記第二のデータと同じであることと、
前記送信側が時間領域リソース、空間領域リソース、及び周波数領域リソースで前記第二のターゲット基礎パラメータセットに基づいて前記第二のビームを送信することをさらに含み、、
前記送信側が時間領域リソース、空間領域リソース、及び周波数領域リソースで前記第一のターゲット基礎パラメータセットに基づいて前記第一のビームを送信する前に、前記データ伝送方法はさらに、
前記送信側がリソース間隔を取得することを含み、
ここで、前記送信側が時間領域リソース、空間領域リソース、及び周波数領域リソースで前記第一のターゲット基礎パラメータセットに基づいて前記第一のビームを送信することは、
前記送信側が前記リソース間隔に基づき、第一の周波数領域リソースで、前記第一のターゲット基礎パラメータセットを使用して前記第一のビームを送信することを含み、
前記送信側が時間領域リソース、空間領域リソース、及び周波数領域リソースで前記第二のターゲット基礎パラメータセットに基づいて前記第二のビームを送信することは、
前記送信側が前記リソース間隔に基づき、第二の周波数領域で、前記第二のターゲット基礎パラメータセットを使用して前記第二のビームを送信することを含み、前記第一の周波数領域リソースと前記第二の周波数領域リソースが前記リソース間隔に基づいて同じデータを送信する隣接リソースであることを特徴とする
請求項１−４のいずれか一項に記載の方法。
【請求項９】
前記送信側がネットワーク装置であり、受信側が端末装置であり、
前記送信側がＮ個の基礎パラメータセットにおいて第一のデータを送信するための第一のビームの第一のターゲット基礎パラメータセットを確定する前に、前記データ伝送方法はさらに、
前記ネットワーク装置が前記端末装置へデータタイプと前記第一のターゲット基礎パラメータセットとの対応関係を示すための第一の指示情報を送信することを含むことを特徴とする
請求項１−８のいずれか一項に記載の方法。
【請求項１０】
前記送信側が端末装置であり、受信側がネットワーク装置であり、
前記送信側がＮ個の基礎パラメータセットにおいて第一のデータを送信するための第一のビームの第一のターゲット基礎パラメータセットを確定する前に、前記データ伝送方法はさらに、
前記端末装置が前記ネットワーク装置から送信された、データタイプと前記第一のターゲット基礎パラメータセットとの対応関係を示すための第二の指示情報を受信することを含み、
ここで、送信側がＮ個の基礎パラメータセットにおいて第一のデータを送信するための第一のビームの第一のターゲット基礎パラメータセットを確定することは、
前記端末装置が前記第二の指示情報に基づいてＮ個の基礎パラメータセットにおいて前記第一のターゲット基礎パラメータセットを確定することを含むことを特徴とする
請求項１−８のいずれか一項に記載の方法。
【請求項１１】
前記送信側がネットワーク装置であり、受信側が端末装置であり、
前記送信側が時間領域リソース、空間領域リソース、及び周波数領域リソースで前記第一のターゲット基礎パラメータセットに基づいて前記第一のビームを送信する前に、前記データ伝送方法はさらに、
前記ネットワーク装置が前記端末装置へ前記第一のビームが位置するリソース位置を示すためのリソース位置指示情報を送信することと、
前記端末装置が前記ネットワーク装置から送信された前記リソース位置指示情報を受信することとを含み、
前記送信側が時間領域リソース、空間領域リソース、及び周波数領域リソースで前記第一のターゲット基礎パラメータセットに基づいて前記第一のビームを送信した後、前記データ伝送方法はさらに、
前記端末装置が前記リソース位置指示情報に基づいて前記第一のビームを受信することを含むことを特徴とする
請求項１−９のいずれか一項に記載の方法。
【請求項１２】
第一のデータのデータタイプは、制御プレーンデータ又はデータプレーンデータのうちの少なくとも一つを含むことを特徴とする、
請求項１−１１のいずれか一項に記載の方法。
【請求項１３】
異なるデータタイプのデータは、異なるターゲット基礎パラメータセットに対応することを特徴とする、
請求項１−１１のいずれか一項に記載の方法。
【請求項１４】
データ伝送装置であって、
メモリと、
前記データ伝送装置に請求項１−１３のいずれか一項に記載の方法を実行させるように、前記メモリに記憶されている命令を実行するように構成されるプロセッサとを含む、
前記データ伝送装置。
【請求項１５】
コンピュータ読み取り可能な記憶媒体であって、
プロセッサで実行する際に、プロセッサに請求項１−１３のいずれか一項に記載の方法を実行させる命令が記憶されている、
前記コンピュータ読み取り可能な記憶媒体。
【国際調査報告】
2019525516.tif 000009
2019525516.tif 000010
2019525516.tif 000011
2019525516.tif 000012